(57)【要約】【課題】冷却器とファンとの配置構造を改良し、貯蔵室の貯蔵容積を充分に大きく確保することのできる冷蔵庫を提供する。【解決手段】庫本体１内部の一つの貯蔵室（冷蔵室５）の奥部に、冷却器１４と、貯蔵室の空気を冷却器１４に接触させて循環させるファン１５とを、横並びで且つファン１５が冷却器１４に臨む向きで配置した。これにより、冷却器１４とファン１５とを一つの貯蔵室に、その貯蔵品を貯蔵する空間（貯蔵空間）を実質的に狭めることなく配置できて、該貯蔵室の貯蔵容積を充分に大きく確保することができる。【選択図】図１
2015007497.tif 000002
【特許請求の範囲】
【請求項１】
庫本体の内部に貯蔵室を有し、その一つの貯蔵室の奥部に、冷却器と、前記貯蔵室の空気を前記冷却器に接触させて循環させるファンとを、横並びで且つファンが前記冷却器に臨む向きで配置したことを特徴とする冷蔵庫。
【請求項２】
ファンが、貯蔵室の空気を冷却器の前方から吸引するものであって、その冷却器に接触した空気を通す風路が冷却器の後方に存在することを特徴とする請求項１記載の冷蔵庫。
【請求項３】
ファンが、冷却器に接触した空気流の下流側に位置することを特徴とする請求項１又は２記載の冷蔵庫。
【請求項４】
冷却器に接触した空気流を、奥部に冷却器とファンとを配置した貯蔵室と、それとは別の貯蔵室とにそれぞれ向かわせる流路が存在することを特徴とする請求項１から３のいずれか一項記載の冷蔵庫。
【請求項５】
冷却器に接触した空気流を、奥部に冷却器とファンとを配置した貯蔵室に供給するダクトが、冷却器を収容する冷却室の上方投影部分内に存在することを特徴とする請求項１から４のいずれか一項記載の冷蔵庫。
【請求項６】
ファンの奥行が冷却器の奥行よりも大きく、冷却器からファンにかけて漸次拡開する風路が存在することを特徴とする請求項１から５のいずれか一項記載の冷蔵庫。
【請求項７】
貯蔵室の冷却器前方の位置に引出容器が存在することを特徴とする請求項１から６のいずれか一項記載の冷蔵庫。
【請求項８】
冷却器を収容する冷却室が貯蔵室に張り出して存在し、貯蔵室におけるその冷却室の前方位置に棚が存在することを特徴とする請求項１から７のいずれか一項記載の冷蔵庫。
【請求項９】
ファンが貯蔵室に張り出して存在し、チルド室が貯蔵室におけるそのファンの張出位置に前後方向で重なって存在することを特徴とする請求項１から８のいずれか一項記載の冷蔵庫。
【請求項１０】
貯蔵室におけるファンの前方位置に卵・小物ケースが存在することを特徴とする請求項１から９のいずれか一項記載の冷蔵庫。
【請求項１１】
冷却器を収容する冷却室が存在し、貯蔵室におけるその冷却室の前方位置に隙間が確保されるようになっていることを特徴とする請求項１から１０のいずれか一項記載の冷蔵庫。
【請求項１２】
庫本体の周側壁の断熱材のほゞ全部が真空断熱パネルから成っていることを特徴とする請求項１から１１のいずれか一項記載の冷蔵庫。
【発明の詳細な説明】
【技術分野】
【０００１】
本発明の実施形態は冷蔵庫に関する。
【背景技術】
【０００２】
従来より、冷蔵庫においては、庫本体の内部に冷蔵室や野菜室及び冷凍室といった貯蔵室を有し、そのうちの例えば冷蔵室と野菜室という二つの貯蔵室にわたる奥部に、冷却器とファンとを縦並びすなわち上下の並びで配置し、その構成で、貯蔵室の空気をファンにより冷却器に接触させて循環させることにより、貯蔵室の冷却をするものが供されている（例えば特許文献１参照）。
【先行技術文献】
【特許文献】
【０００３】
【特許文献１】特開２０１２−１７２９３５号公報
【発明の概要】
【発明が解決しようとする課題】
【０００４】
しかしながら、上述のように二つの貯蔵室にわたる奥部に冷却器とファンとを縦並びで配置したものでは、その両方もしくは一方の貯蔵室の、貯蔵品を貯蔵する空間（貯蔵空間）が狭められる度合が大きく、貯蔵室の貯蔵容積を充分に大きく確保することができていなかった。
【０００５】
そこで、冷却器とファンとの配置構造を改良し、貯蔵室の貯蔵容積を充分に大きく確保することのできる冷蔵庫を提供する。
【課題を解決するための手段】
【０００６】
本実施形態の冷蔵庫は、庫本体の内部に貯蔵室を有し、その一つの貯蔵室の奥部に、冷却器と、前記貯蔵室の空気を前記冷却器に接触させて循環させるファンとを、横並びで且つファンが前記冷却器に臨む向きで配置したことを特徴とする。
【図面の簡単な説明】
【０００７】
【図１】一実施形態を示す主要部分の横断平面図
【図２】主要部分の縦断側面図
【図３】主要部分からその下部にかけての縦断背面図
【図４】主要部分の、チルド容器と卵・小物ケースを含む横断平面図
【図５】チルド容器のサイズが異なる図４相当図
【図６】チルド容器と卵・小物ケースのサイズが異なる図４相当図
【図７】チルド容器のサイズが異なる図４相当図
【発明を実施するための形態】
【０００８】
以下、一実施形態につき、図面を参照して説明する。
まず、図２には、冷蔵庫の庫本体１を示しており、上部のみを示しているが、この庫本体１は、外箱２に内箱３を組み合わせ、この外箱２と内箱３との間に断熱材４を充填して構成したもので、周側壁が天井壁と、左側壁、右側壁、底壁、及び奥壁で構成される直方体のキャビネットであり、図２で左側の前面が開口している。
【０００９】
この庫本体１の周側壁の断熱材４は、そのほゞ全部が真空断熱パネルから成っている。すなわち、この庫本体１の周側壁の断熱材４は、全部が真空断熱パネルのみから成るもののほか、部分的に発泡ポリウレタン等の発泡断熱材や発泡スチロールもしくはソフトテープ等の、真空断熱パネル以外の断熱材を用いるものも含むものである。特には、その真空断熱パネル以外の断熱材を用いるものでは、真空断熱パネル以外の断熱材の厚さは、真空断熱パネルの厚さより薄くしている。
【００１０】
なお、真空断熱パネルは、例えば、細いガラス繊維の綿状物であるグラスウールをマット状にしてコア材とし、このコア材を、アルミニウム箔とＰＥＴ（ポリエチレンテレフタレート）等の合成樹脂とのラミネートフィルムで製袋したガスバリア容器に収納し、その内部を真空排気して開口を密閉することにより、容器内部を真空減圧状態に保持したパネルであり、薄くて低い熱伝導率（高い断熱性）を有することから、庫本体１の周側壁の薄形化ができるものである。
【００１１】
上記庫本体１の内部は、最上部が冷蔵室５となっており、その下方が図３に示す冷凍室６となっていて、更にその下方が野菜室７となっている。これら冷蔵室５、冷凍室６、及び野菜室７は、図示しない食品を主とする貯蔵品を貯蔵する貯蔵室である。冷蔵室６の内部には、棚８を複数段（図示例は３段）に設けており、その最下段の棚８の更に下方には、棚９を設けている。この棚９は、後半部９ａが固定、前半部９ｂが後方へスライド収納可能なものであり、その下方はチルド室である貯蔵スペース１０で、この貯蔵スペース１０にはチルド容器１１を前方への引出し可能に収納している。
【００１２】
一つの貯蔵室である冷蔵室５の奥部、中でも下方の隅部には、冷却室１２を冷却室カバー１３で囲って設けている。この冷却室１２は、図１に示すように、冷蔵室５の奥部のほゞ全幅にわたるもので、その内部には、図で右側の大部分に冷蔵用の冷却器（エバポレータ）１４を配置している。この冷却器１４は、図３に示すように、上下複数段で各段が左右に長く延びる蛇行状を成す冷媒流通パイプ１４ａに伝熱フィン１４ｂを左右に多数並べ付けて成るものであり、図示しない圧縮機（コンプレッサ）や凝縮器（コンデンサ）及び絞り器であるキャピラリチューブ等と共に冷凍サイクルを組成し、冷蔵室５及び前記野菜室７の冷却に供するようになっている。
【００１３】
冷却室１２の図３で右側、図１で左側の残りスペースには、冷蔵用のファン１５を配置している。すなわち、上記冷却器１４とファン１５は左右の横並びに配置している。ファン１５は、この場合、軸方向に送風する軸流ファンで、その軸方向を冷却器１４の蛇行各段の冷媒流通パイプ１４ａの伸延方向と平行にして該冷却器１４に臨む向きで配置している。
又、冷却器１４とファン１５に関しては、図１に示すように、ファン１５の奥行Ｄ１５が冷却器１４の奥行Ｄ１４よりも大きく、冷却室１２には冷却器１４からファン１５にかけて漸次拡開する風路１６が存在している。
【００１４】
更に、冷却室１２（冷却室カバー１３）の、冷却器１４前方の部分には、吸気口１７を多数の孔で形成しており、ファン１５は冷蔵室５の空気を図１に矢印Ａ１で示すように冷却器１４の前方から吸気口１７を通じて吸引するようになっており、その冷却器１４に接触した空気を図１に矢印Ａ２で示すように通す風路１８を冷却器１４の後方に有している。この場合、冷却器１４に接触した空気は、冷却器１４からファン１５へと流れるものであり、従って、ファン１５は冷却器１４に接触した空気流の下流側に位置している。
【００１５】
そして、図３に示すように、冷却室１２（冷却室カバー１３）の、ファン１５外方（図３で右側）の部分には、第１の吐気口１９を同じく多数の孔で形成しており、又、冷却室１２の、ファン１５外下方の部分には第２の吐気口２０を形成している。
【００１６】
更に、そのうちの第１の吐気口１９外方の庫本体１（冷蔵室５）側壁との間には第１の流路２１を形成しており、この第１の流路２１によって、図３に矢印Ａ３で示すように、第１の吐気口１９から吐出された空気を冷蔵室５、すなわち奥部に冷却器１４とファン１５とを配置した貯蔵室に向かわせるようにしている。又、第２の吐気口２０下方の冷凍室６と冷蔵室５との間の断熱仕切壁２２中から庫本体１（冷凍室６）の側壁（図３で右側壁）中にかけては、第２の流路２３を形成しており、この第２の流路２３によって、図３に矢印Ａ４で示すように、第２の吐気口２０から吐出された空気を前記野菜室７、すなわち上記冷蔵室５とは別の貯蔵室に向かわせるようにしている。
【００１７】
なお、庫本体１（冷凍室６）の上記第２の流路２３を形成した側壁とは反対側（図３で左側）の側壁から断熱仕切壁２２中にかけては、第３の流路２４を形成していて、この第３の流路２４により前記野菜室７すなわち前記冷蔵室５とは別の貯蔵室の空気を、図３に矢印Ａ５で示すように、冷蔵室５に戻すようにしている。
【００１８】
加えて、上記第１の流路２１の下流側（上方）には、図２に示すように、ダクト２５を冷却室１２の上方投影部分Ｔ内に位置させて詳しくは図示しないが連通させており、更に、このダクト２５には冷気供給口２５ａを多段に形成していて、このダクト２５により、前記冷却器１４に接触した空気流を冷気供給口２５ａから冷蔵室５、すなわち奥部に冷却器１４とファン１５とを配置した貯蔵室に、図２に矢印Ａ６で示すように供給するようになっている。
【００１９】
冷凍室６の奥部、中でも下部には、図３に示す冷却室２６を図示しない冷却室カバー２６ａで囲って設けており、この冷却室２６には冷凍用の冷却器（エバポレータ）２７を配置している。この冷却器２７は、前記冷蔵用の冷却器１４と同様の構成であり、前述の冷凍サイクル中に位置して冷凍室６の冷却に供するようになっている。
【００２０】
ここで、前記冷蔵用の冷却器１４を配置した冷却室１２は、図２に示すように、冷蔵室５に張り出して存在しており、冷蔵室５におけるその冷却室１２の前方位置に前記棚９が存在している。又、前記チルド容器１１は、前述のように引出し可能なものであることから引出容器であり、この引出容器（チルド容器１１）は、棚９の下方（貯蔵スペース１０）に位置することから、冷蔵室５の冷却器１４（冷却室１２）前方の位置に存在している。
【００２１】
更に、ファン１５も冷蔵室５に張り出して存在しており、前記チルド室である貯蔵スペース１０は、図４に示すように、冷蔵室５におけるファン１５の張出位置に前後方向で寸法Ｌ重なって存在している。又、冷蔵室５におけるファン１５の前方位置には、卵・小物ケース２８が存在している。
そのほか、前記チルド容器１１は、前記貯蔵スペース１０における収納位置が冷却室１２の前面部との間に隙間Ｇを余すところで規制されるようになっており、このようにして冷蔵室５における冷却室１２の前方位置には、隙間Ｇを確保するようにしている。
【００２２】
なお、図５から図７には、チルド容器１１と卵・小物ケース２８の奥行の異なるものの組み合わせの形態を示しており、図５はチルド容器１１より奥行のかなり小さなチルド容器１１′と卵・小物ケース２８との組み合わせの形態を、図６はチルド容器１１より奥行のやゝ小さなチルド容器１１″と卵・小物ケース２８より奥行の小さな卵・小物ケース２８′との組み合わせの形態を、図７はチルド容器１１より奥行のやゝ小さなチルド容器１１″と卵・小物ケース２８との組み合わせの形態をそれぞれ示している。チルド容器１１と卵・小物ケース２８の組み合わせは、このように奥行の異なる形態で種々実施できるものである。又、そのいずれの場合においても、冷蔵室５における冷却室１２の前方位置には、上記隙間Ｇ以上の隙間を確保するようにしている。
【００２３】
更に、図２には、前記庫本体１の外上面の後部に配置した電子ユニット２９を示しており、この電子ユニット２９により冷蔵庫の作動並びに表示を制御するようにしている。
【００２４】
本実施形態のものでは、冷蔵室５の冷却時、冷蔵用の冷却器１４及び冷凍用の冷却器２７を有する冷凍サイクルが作動して、冷蔵用の冷却器１４が冷却機能を奏し、同時に、ファン１５が作動する。これらにより、冷蔵室５の空気が冷蔵室５の冷却室１２に前方より図１に矢印Ａ１で示したように吸引され、冷却器１４に接触して冷却される。
【００２５】
冷却器１４に接触して冷却された空気（冷気）は、図１に矢印Ａ２で示したように冷却器１４後方の風路１８を通ってファン１５へ流れ、ファン１５から第１の流路２１を図３に矢印Ａ３で示したように流れ、更に、ダクト２５を通って図２に矢印Ａ６で示したように冷蔵室５に供給されると共に、ファン１５から第２の流路２３を図３に矢印Ａ４で示したように流れ、冷蔵室５とは別の貯蔵室である野菜室７に供給される。
【００２６】
冷蔵室５に供給された空気（冷気）は、冷蔵室５を冷却して、その後、冷却室１２に前方より図１に矢印Ａ１で示したように吸引されるものであり、野菜室７に供給された空気（冷気）は、野菜室７を冷却して、第３の流路２４を図３に矢印Ａ５で示したように流れ、冷蔵室５に戻されて同じく冷却室１２に前方より吸引される。このようにして冷蔵室５の空気が冷却器１４に接触して冷却されつつ循環され、冷蔵室５及び野菜室７が冷却される。
【００２７】
このように本実施形態のものでは、庫本体１の内部に貯蔵室（冷蔵室５）を有し、その貯蔵室の奥部に、冷却器１４と、貯蔵室の空気を冷却器１４に接触させて循環させるファン１５とを、横並びで且つファン１５が冷却器１４に臨む向きで配置している。これにより、二つの貯蔵室にわたる奥部に冷却器とファンとを縦並びで配置した従来のものに比して、冷却器１４とファン１５とを一つの貯蔵室に、その貯蔵品を貯蔵する空間（貯蔵空間）を実質的に狭めることなく配置できて、該貯蔵室の貯蔵容積を充分に大きく確保することができる。
【００２８】
又、本実施形態のものでは、ファン１５が、貯蔵室（冷蔵室５）の空気を冷却器１４の前方から吸引するものであって、その冷却器１４に接触した空気を通す風路１８が冷却器１４の後方に存在するようにしている。これにより、貯蔵室の空気を前方から冷却器１４に有効に接触させつつ冷却器１４の後方へ通して、更にその冷却器１４の後方を通し抵抗少なく流すことができて、貯蔵室空気の冷却、流通効果を高く得ることができる。
【００２９】
又、本実施形態のものでは、ファン１５が、冷却器１４に接触した空気流の下流側に位置するようにしている。これにより、ファン１５が、冷却器１４に接触する空気流の上流側に位置して冷却器１４に向け送風するものより、冷却器１４に接触した空気の流れを良くすることができる。
又、本実施形態のものでは、冷却器１４に接触した空気流を、奥部に冷却器１４とファン１５とを配置した貯蔵室（冷蔵室５）と、それとは別の貯蔵室（野菜室７）とにそれぞれ向かわせる流路２１，２３が存在するようにしている。これにより、それらの流路２１，２３で上記両貯蔵室への冷気の供給が確実にできる。
【００３０】
又、本実施形態のものでは、冷却器１４に接触した空気流を、奥部に冷却器１４とファン１５とを配置した貯蔵室（冷蔵室５）に供給するダクト２５が、冷却室１２の上方投影部分Ｔ内に存在するようにしている。これにより、ダクト２５が冷蔵室５における冷却器１４（冷却室１２）の張出寸法以上に張り出すことがなく、貯蔵室の貯蔵容積の充分な確保に効果がある。
【００３１】
又、本実施形態のものでは、ファン１５の奥行が冷却器１４の奥行よりも大きく、冷却器１４からファン１５にかけて漸次拡開する風路１６が存在するようにしている。これにより、奥行の小さい冷却器１４から奥行の大きいファン１５にかけて風路抵抗少なく空気流を通すことができ、送風効率を良くすることができる。
又、本実施形態のものでは、貯蔵室（冷蔵室５）の冷却器１４前方の位置に引出容器（チルド容器１１）が存在するようにしている。これにより、冷却器１４（冷却室１２）と引出容器とを前後にまとめて配置できて、それら以外の上下方向の貯蔵室の貯蔵容積の充分な確保に効果がある。
【００３２】
又、本実施形態のものでは、冷却器１４を収容する冷却室１２が貯蔵室（冷蔵室５）に張り出して存在し、その貯蔵室における冷却室１２の前方位置に棚９が存在するようにしている。これにより、貯蔵室における冷却室１２の張り出しが棚９で目立たなくされ、見栄えを良くすることができる。
【００３３】
又、本実施形態のものでは、ファン１５が貯蔵室に張り出して存在し、チルド室（貯蔵スペース１０）が貯蔵室におけるファン１５の張出位置に前後方向で重なって存在するようにしている。これにより、その重なりの分、チルド室を大きく確保でき、ひいてはチルド室に収納されるチルド容器１１を大きく確保できて、チルド室の貯蔵量の充分な確保に効果がある。
【００３４】
又、本実施形態のものでは、貯蔵室におけるファン１５の前方位置に卵・小物ケース２８が存在するようにしている。これにより、卵・小物ケース２８が貯蔵室の他のスペース（例えば貯蔵スペース１０）に張出すことのないようにできて、該貯蔵室の他のスペースを広く確保でき、貯蔵品の貯蔵量の充分な確保に効果がある。
又、本実施形態のものでは、貯蔵室における冷却室１２の前方位置に隙間が確保されるようにしている。これにより、貯蔵室における冷却室１２の前方からの空気吸引が抵抗少なくできて、空気の流れを良好に確保することができる。
【００３５】
そして、本実施形態のものでは、庫本体１の周側壁の断熱材４のほゞ全部が真空断熱パネルから成るようにしている。既述のように、真空断熱パネルは薄くて低い熱伝導率（高い断熱性）を有するもので、それによって庫本体１の周側壁の薄形化ができるものであり、その分、庫内容積を大きく確保することができる。この庫内容積を大きく確保することができる点と、先の冷却器１４とファン１５とを横並びで且つファン１５が冷却器１４に臨む向きで配置した点とを合わせることにより、貯蔵室の貯蔵容積をより充分に大きく確保することができる。
【００３６】
以上説明した冷蔵庫は、上記実施形態にのみ限定されるものではなく、特に、奥部に冷却器とファンとを配置した貯蔵室は冷蔵室に限られず、それとは別の貯蔵室も野菜室に限られないなど、要旨を逸脱しない範囲内で適宜変更して実施し得る。
【００３７】
そのほか、本発明の実施形態を説明したが、この実施形態は例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００３８】
図面中、１は庫本体、４は断熱材、５は冷蔵室（貯蔵室）、７は野菜室（貯蔵室）、９は棚、１０は貯蔵スペース（チルド室）、１１はチルド容器（引出容器）、１２は冷却室、１４は冷却器、１５はファン、１６，１８は風路、２１は第１の流路、２３は第２の流路、２５はダクト、２８は卵・小物ケースを示す。
【図１】
2015007497.tif 000003
【図２】
2015007497.tif 000004
【図３】
2015007497.tif 000005
【図４】
2015007497.tif 000006
【図５】
2015007497.tif 000007
【図６】
2015007497.tif 000008
【図７】
2015007497.tif 000009